(57)【特許請求の範囲】
【請求項１】
車両の支柱に支えられたルーフと、
前記ルーフに設けられ、音圧駆動によって吸音を行う吸音構造体と、を具備し、
前記吸音構造体は、
振動板と、該振動板の背後に画成される空気層と、を有する板吸音体、
閉空間と、この閉空間と外部とを連通する管状部材と、を有するヘルムホルツ吸音体、
の吸音体の組み合わせによって構成され、
前記ルーフのうち平坦な部分に複数の前記板吸音体が配置され、前記ルーフのうち前記平坦な部分に対して傾斜している部分に前記ヘルムホルツ吸音体が配置される
ことを特徴とする車体構造体。
【請求項２】
請求項１記載の車体構造体において、
前記吸音構造体の音圧駆動によって駆動される部位は、前記ルーフの音圧が高い部分に位置するように配置される
ことを特徴とする車体構造体。
【請求項３】
請求項１または２記載の車体構造体において、
前記吸音構造体は、一端が閉塞した閉塞部となり他端が開口した開口部となる空洞を有する管吸音体、前記板吸音体及び前記ヘルムホルツ吸音体の組み合わせによって構成される
ことを特徴とする車体構造体。
【請求項４】
請求項３記載の車体構造体において、
前記空洞は、複数形成される
ことを特徴とする車体構造体。
【請求項５】
請求項３記載の車体構造体において、
前記空洞は、長さが異なって複数形成される
ことを特徴とする車体構造体。
【請求項６】
請求項１乃至５のいずれかに記載の車体構造体において、
前記ルーフの基台となるシャーシは、前記吸音構造体の一部を構成する
ことを特徴とする車体構造体。
【請求項７】
請求項１乃至５のいずれかに記載の車体構造体において、
前記吸音構造体は、前記ルーフの基台となるシャーシに取り付けられる
ことを特徴とする車体構造体。
【請求項８】
請求項１乃至５のいずれかに記載の車体構造体において、
前記ルーフは、当該車体構造体の基台となるシャーシの一部をなすルーフアウタパネルと、該ルーフアウタパネルを車室側から覆うルーフインナパネルとを有し、
前記吸音構造体は、前記ルーフアウタパネルと前記ルーフインナパネルとの間に配置される
ことを特徴とする車体構造体。
【請求項９】
請求項１乃至５のいずれかに記載の車体構造体において、
前記ルーフは、当該車体構造体の基台となるシャーシの一部をなすルーフアウタパネルと、該ルーフアウタパネルを車室側から覆い、芯材とこの芯材の表面を覆う表面材とを有するルーフインナパネルと、を備え、
前記芯材が前記吸音構造体の一部を構成する
ことを特徴とする車体構造体。
【請求項１０】
請求項１乃至５のいずれかに記載の車体構造体において、
前記ルーフは、当該車体構造体の基台となるシャーシの一部をなすルーフアウタパネルと、該ルーフアウタパネルを車室側から覆い、芯材とこの芯材の表面を覆う表面材とを有するルーフインナパネルと、を備え、
前記吸音構造体は、前記芯材に取り付けられる
ことを特徴とする車体構造体。
【請求項１１】
請求項８乃至１０のいずれかに記載の車体構造体において、
前記ルーフインナパネルは、音圧透過部を有する
ことを特徴とする車体構造体。
【請求項１２】
車両の支柱によって支えられるルーフであって、
当該ルーフの基台となす芯材と、
前記芯材に設けられ、音圧駆動によって吸音を行う吸音構造体と、を具備し、
前記吸音構造体は、
振動板と、該振動板の背後に画成される空気層と、を有する板吸音体、
閉空間と、この閉空間と外部とを連通する部材と、を有するヘルムホルツ吸音体、
の吸音体の組み合わせによって構成され、
当該ルーフのうち平坦な部分に複数の前記板吸音体が配置され、当該ルーフのうち前記平坦な部分に対して傾斜している部分に前記ヘルムホルツ吸音体が配置される
ことを特徴とする車両用ルーフ。
【請求項１３】
車両の支柱によって支えられるルーフの一部を構成するルーフインナパネルであって、
当該ルーフインナパネルの外形をなす芯材と、
前記芯材に設けられ、吸音を行う吸音構造体と、を具備し、
前記吸音構造体は、
振動板と、該振動板の背後に画成される空気層と、を有する板吸音体、
閉空間と、この閉空間と外部とを連通する管状部材と、を有するヘルムホルツ吸音体、
の吸音体の組み合わせによって構成され、
当該ルーフインナパネルのうち平坦な部分に複数の前記板吸音体が配置され、当該ルーフインナパネルのうち前記平坦な部分に対して傾斜している部分に前記ヘルムホルツ吸音体が配置される
ことを特徴とするルーフインナパネル。
【発明の詳細な説明】
【技術分野】
【０００１】
本発明は、例えば、ロードノイズ等の比較的低い周波数のロードノイズを吸音することが可能な車体構造体に関する。
【背景技術】
【０００２】
従来、車両の屋根にて吸音する構造として、空気の粒子速度を減衰させずに反射させるための反射板と、粒子速度を高速状態で通過させる吸音材とを、ルーフパネルに交互に配置するルーフ構造（特許文献１）がある。
【０００３】
【特許文献１】特開２００５−２４７２６７号公報
【発明の開示】
【発明が解決しようとする課題】
【０００４】
ところで、前述したルーフ構造では、吸音材に、フェルト等の天然繊維・ポリエチレンテレフタレート（ＰＥＴ）等の合成繊維が使用されており、空気粒子が繊維を通過することで吸音を行うものである。このルーフ構造では、粒子速度駆動に基づく吸音機構を利用しているため、低周波数領域における音に対しては、大きな背後空気層が必要であり、エンジン音、走行中の風切り音、タイヤや路面からひろうロードノイズ等のように、比較的低い周波数領域における音に対しては減衰することができなかった。
【０００５】
また、インナパネルとアウタパネルの間に挿入されるグラスウール、フェルト等の多孔質吸音材は、音響粒子速度が最大となる位置に、その速度が最大となる方向と垂直に配設されたときに、吸音効率が最大になる。このため、室境界（壁面）から、対象周波数のλ/4程度の空間を背後に有する必要があり、低音域を吸音するためには、大きな空気層（例えば315Hzで27cm）が必要となり、現実的に車室内に設置することが出来なかった。換言すれば、背後空気層が少ない多孔質吸音構造では、低周波数を吸音することは出来ず、低周波の音響エネルギーを消散することは出来なかった。
【０００６】
本発明は、上述した課題に鑑みてなされたものであり、その目的は、低周波領域における音を効率良く吸音する吸音構造体を有する車体構造体、車両用支柱およびインナパネルを提供することにある。
【課題を解決するための手段】
【０００７】
上述した課題を解決するために、本発明が採用する車体構造体は、車両の支柱に支えられたルーフと、前記ルーフに設けられ、音圧駆動によって吸音を行う吸音構造体と、を具備することを特徴とする。
【０００８】
上記構成において、前記吸音構造体の音圧駆動によって駆動される部位は、前記車室における音圧が高い部分に配置されることが望ましい。例えば、セダン型車両の場合、音圧が高い部分は、車両の屋根となることが多い。また、音圧駆動に基づく吸音機構では、壁面近傍で吸音できるため、低周波数領域に音に対しても大きな背後空気層を必要としない。さらに、車室の境界面で、音響粒子速度が大きな値をとらないのに対し、音圧は高いところと低いところが生じる（音圧分布）。音圧駆動による吸音機構の場合、吸音される音響エネルギーは、吸音効率とそこに入射する音響エネルギーの積で決まるため、高音圧の部位に前記音圧駆動の吸音構造を優先的に配置することで、効率的に車室内の音響エネルギーを消散することができる。
【０００９】
上記構成において、前記吸音構造体の音圧駆動によって駆動される部位は、前記ルーフの音圧が高い部分に位置するように配置されることが望ましい。
【００１０】
上記構成において、前記吸音構造体は、振動板と、該振動板の背後に画成される空気層と、を有する板吸音体であることが望ましい。
【００１１】
上記構成において、前記吸音構造体は、一端が閉塞した閉塞部となり他端が開口した開口部となる空洞を有する管吸音体であることが望ましい。
【００１２】
上記構成において、前記空洞は、複数形成されることが望ましい。
【００１３】
上記構成において、前記空洞は、長さが異なって複数形成されることが望ましい。
【００１４】
上記構成において、前記吸音構造体は、閉空間と、この閉空間と前記車室の空間とを連通する管状部材と、を有するヘルムホルツ吸音体であることが望ましい。
【００１５】
上記構成において、前記吸音構造体は、振動板と、該振動板の背後に画成される空気層と、を有する板吸音体、一端が閉塞した閉塞部となり他端が開口した開口部となる空洞を有する管吸音体、閉空間と、この閉空間と外部とを連通する管状部材と、を有するヘルムホルツ吸音体、いずれかの吸音体の組み合わせによって構成されることが望ましい。
【００１６】
上記構成において、前記ルーフの基台となるシャーシは、前記吸音構造体の一部を構成することが望ましい。
【００１７】
上記構成において、前記吸音構造体は、前記ルーフの基台となるシャーシに取り付けられることが望ましい。
【００１８】
上記構成において、前記ルーフは、当該車体構造体の基台となるシャーシの一部をなすルーフアウタパネルと、該ルーフアウタパネルを車室側から覆うルーフインナパネルとを有し、前記吸音構造体は、前記ルーフアウタパネルと前記ルーフインナパネルとの間に配置されることが望ましい。
【００１９】
上記構成において、前記ルーフは、当該車体構造体の基台となるシャーシの一部をなすルーフアウタパネルと、該ルーフアウタパネルを車室側から覆い、芯材とこの芯材の表面を覆う表面材とを有するルーフインナパネルと、を備え、前記芯材が前記吸音構造体の一部を構成することが望ましい。
【００２０】
上記構成において、前記ルーフは、当該車体構造体の基台となるシャーシの一部をなすルーフアウタパネルと、該ルーフアウタパネルを車室側から覆い、芯材とこの芯材の表面を覆う表面材とを有するルーフインナパネルと、を備え、前記吸音構造体は、前記芯材に取り付けられることが望ましい。
【００２１】
上記構成において、前記ルーフインナパネルは、音圧透過部を有することが望ましい。
【００２２】
上述した課題を解決するために、本発明が採用する車両用ルーフは、車両の支柱によって支えられるルーフであって、当該ルーフの基台となす芯材と、前記芯材に設けられ、音圧駆動によって吸音を行う吸音構造体と、を具備することを特徴とする。
【００２３】
上述した課題を解決するために、本発明が採用するルーフインナパネルは、車両の支柱によって支えられるルーフの一部を構成するルーフインナパネルであって、当該ルーフインナパネルの外形をなす芯材と、前記芯材に設けられ、吸音を行う吸音構造体と、を具備することを特徴とする。
【発明の効果】
【００２４】
本発明によれば、吸音構造体が、音波を振動に変換して、音波エネルギーを機械エネルギーとして消費して吸音を行う。例えば、吸音構造体が吸音する周波数を低い値に設定した場合には、例えばロードノイズのような低周波数の音を効率良く吸音することができる。
【発明を実施するための最良の形態】
【００２５】
以下、吸音構造体を備えた車体構造体について説明する。
＜第１実施形態＞
本発明者達は、車室内にこもる音に着目して、車室内における種々の場所における音圧を測定した。その結果、ルーフ（屋根）の部分で、音圧が比較的大きくなっていることを検知した。そこで、このルーフに吸音構造体を設けることに着目した。
【００２６】
一般に、車室の境界面においては、音波の粒子速度が大きな値をとらないのに対し、音圧は高いところと低いところが生じる（所謂、音圧分布）。そこで、上記構成のように、音圧駆動による吸音機構を有する吸音構造体は、吸音される音響エネルギーが、吸音効率とそこに入射する音響エネルギーの積で決まるため、高音圧の部位に前記音圧駆動の吸音構造を優先的に配置することで、効率的に車室内の音響エネルギーを消散することが可能となる。また、音圧駆動に基づく吸音構造体では、λ/４の背後空気層を構成することなく実現できるため、壁面近傍での吸音を可能とし、低周波数領域における音に対しても大きな背後空気層を必要としないという利点がある。
【００２７】
（１−１）構成
（１−１−１）車両
図１は、本発明の第１実施形態に係る４ドアセダン形の車両１００を示す斜視図である。この車両１００は車体構造体の基台となるシャーシ１１０に対してボンネット１０１、４枚のドア１０２、トランクドア１０３が開閉可能に取り付けられる。
図２は、シャーシ１１０を模式的に示す図である。シャーシ１１０はベース１１１と、このベース１１１から上側に延びる一対のフロントアウタパネル１１２・センタアウタパネル１１３・リアアウタパネル１１４と、アウタパネル１１２，１１３，１１４によって支えられるルーフアウタパネル１２０と、車両１００内を車室１０５とエンジン室１０６とに分けるエンジン仕切隔壁１１５と、車室１０５と荷室１０７とに分けるトランク仕切隔壁１１６とを有する。
また、ルーフアウタパネル１２０とルーフインナパネル１３０によってルーフ１４０を構成する。
【００２８】
（１−１−２）ルーフ
本実施形態の特徴は、箱形の板吸音体１０を前席（運転席・助手席）上のルーフ１４０に設けたことにある。なお、図３には、板吸音体１０を１個しか図示していないが、実際には、図１に示すように、形状の異なった４個の板吸音体１０をルーフ１４０に設けるようにしている。
【００２９】
図３は、図２中のａ部を拡大した断面図である。
ルーフ１４０は、シャーシ１１０の一部をなすルーフアウタパネル１２０と、このルーフアウタパネル１２０にクリップ止め等によって取り付けられるルーフインナパネル１３０とを具備する。
ルーフアウタパネル１２０は、ルーフ１４０の外形をなす隔壁部１２１と、この隔壁部１２１を強化するため、車幅方向に延びる略「コ」字状の梁部１２２とを有する。また、隔壁部１２１の外周側には、ルーフインナパネル１３０を取り付けるためのパネル取付孔（図示せず）が複数個穿設され、梁部１２２には、板吸音体１０を取り付けるための吸音体取付孔１２３が穿設される（図３、参照）。
【００３０】
ルーフインナパネル１３０は、例えば木質繊維板によって形成され、基台をなす芯材１３１と、音圧を透過する布材によって形成され、芯材１３１の表面を覆う表面材１３８と、を具備する。
芯材１３１には、前席（運転席・助手席）の位置に矩形状の挿通孔１３２Ａが穿設され、表面材１３８のうちこの挿通孔１３２Ａに対向する部分が音圧透過部１３９Ａとなり、この音圧透過部１３９Ａを介して板吸音体１０を車室１０５内に開放させる。なお、本実施形態では、音圧透過部１３９Ａは、ルーフ１４０前面において音圧が高くなる位置となる。
【００３１】
（１−１−３）板吸音体
次に、板吸音体１０の構造について説明する。
板吸音体１０は、開口部１２を有する矩形状の筐体１１と、開口部１２を閉塞する振動板１３と、筐体１１内に画成される空気層１４と、を具備する。筐体１１は合成樹脂材料（例えば、ＡＢＳ樹脂）によって形成され、振動板１３は高分子化合物（例えば、無機充填材を含むポリオレフィン系シート）によって形成される。本発明においては、振動板１３は、弾性を有する素材を膜状に形成してもよい。
【００３２】
また、板吸音体１０の底部には吸音体取付孔１２３に挿入される先端が傘状の抜止部１５Ａとなった取付突起１５が突出形成される。この取付突起１５を吸音体取付孔１２３に無理嵌めすることにより、取付突起１５の抜止部１５Ａがルーフアウタパネル１２０の梁部１２２に係止されることにより、板吸音体１０はルーフアウタパネル１２０に対して抜け止めされた状態で固定される。
【００３３】
板吸音体１０は、後述する条件に設定することで、音圧透過部１３９Ａを通して振動板１３に伝わる車室１０５側の音圧と空気層１４側の音圧との差（即ち、振動板１３の前後の音圧差）によって振動板１３が駆動される。これにより、当該板吸音体１０に到達する音波のエネルギーは、この振動板１３の振動により消費されて音が吸音されることになる。即ち、板吸音体１０は、音圧駆動により励振された振動により吸音効果を発揮する。
【００３４】
（１−１−４）板吸音体の設定条件
ここで、板吸音体１０の設定条件について説明する。
一般に、板状または膜状の振動体と空気層により音を吸収する吸音構造について、減衰させる周波数は、振動体の質量成分（マス成分）と空気層のバネ成分とによるバネマス系の共振周波数によって設定される。空気の密度をρ０[ｋｇ／ｍ3]、音速をｃ０[ｍ／ｓ]、振動体の密度をρ[ｋｇ／ｍ3]、振動体の厚さをｔ[ｍ]、空気層の厚さをＬ[ｍ]とすると、バネマス系の共振周波数は数１の式で表される。
【００３５】
【数１】
0005286856.tif 000002
【００３６】
また、板・膜振動型吸音構造において振動体が弾性を有して弾性振動をする場合には、弾性振動による屈曲系の性質が加わる。建築音響の分野においては、振動体の形状が長方形で一辺の長さをａ[ｍ]、もう一辺の長さをｂ[ｍ]、振動体のヤング率をＥ[Ｐａ]、振動体のポアソン比をσ[−]、ｐ，ｑを正の整数とすると、以下の数２の式で板・膜振動型吸音構造の共振周波数を求め、求めた共振周波数を音響設計に利用することも行われている（周辺が固定支持の場合）。
【００３７】
【数２】
0005286856.tif 000003
そして、本実施形態においては、上記数式から１６０〜３１５Ｈｚバンド（１/３オクターブ中心周波数）を吸音するよう、以下のようにパラメータが設定される。
空気の密度ρ０      ；１．２２５[ｋｇ／ｍ3]
音速ｃ０            ；３４０[ｍ／ｓ]
振動体の密度ρ      ；１４４０[ｋｇ／ｍ3]
振動体の厚さｔ      ；０．０００８５[ｍ]
空気層の厚さをＬ    ；０．０３[ｍ]
筐体の長さａ        ；０．３[ｍ]
筐体の長さｂ        ；０．３[ｍ]
振動体のヤング率Ｅ  ；０．４[ＧＰａ]
ポアソン比をσ      ；０．４
モード次数          ；ｐ＝ｑ＝１
【００３８】
一方、上記数２において、バネマス系の項（ρ０ｃ０２／ρｔＬ）と屈曲系の項（バネマス系の項の後に直列に加えられている項）とが加算される。このため、上記式で得られる共振周波数は、バネマス系の共振周波数より高いものとなり、吸音のピークとなる周波数を低く設定することが難しい場合がある。
【００３９】
このような吸音体においては、バネマス系による共振周波数と、板の弾性による弾性振動による屈曲系の共振周波数との関連性は十分に解明されておらず、低音域で高い吸音力を発揮する板吸音体の構造が確立されていないのが実情である。
【００４０】
そこで、発明者達は鋭意実験を行った結果、屈曲系の基本振動周波数の値をｆａ、バネマス系の共振周波数の値をｆｂとし場合、以下の数３の関係を満足するように、上記パラメータを設定する。これにより、屈曲系の基本振動が背後の空気層のバネ成分と連成して、バネマス系の共振周波数と屈曲系の基本周波数との間の帯域に振幅の大きな振動が励振されて（屈曲系共振周波数ｆａ＜吸音ピーク周波数ｆ＜バネマス系基本周波数ｆｂ）、吸音率が高くなるという事実を検証した。
【数３】
0005286856.tif 000004
【００４１】
さらに、以下の数４に設定する場合、吸音ピークの周波数がバネマス系の共振周波数より十分に小さくなる。この場合、低次の弾性振動のモードにより屈曲系の基本周波数がバネマス系の共振周波数より十分に小さく、３００[Ｈｚ]以下の周波数の音を吸音する吸音構造として適していることも検証した。
【数４】
0005286856.tif 000005
このように、上記した数３，４の条件を満足するように各種パラメータを設定することにより、吸音のピークとなる周波数を低くした吸音体が構成できる。
【００４２】
（１−２）第１実施形態の作用・効果
本実施例による板吸音体１０においては、車室１０５内にこもる音が音圧透過部１３９Ａを通して振動板１３に伝達され、この振動板１３を振動させる。この振動により、車室１０５内の音波エネルギーが機械エネルギーとして消費されて吸音を行う。例えば、板吸音体１０の設定を上記パラメータの数値に設定することにより、ロードノイズのような低周波数の音（車室１０５内の固有振動に対応した音圧が局所的に高くなる音の周波数（５００Ｈｚ以下））を効率良く吸音することができる。
【００４３】
そこで、本実施形態においては、特に車室１０５内において音圧の高い位置、即ちルーフ１４０に箱形の板吸音体１０を設けている。荷室からトランク仕切隔壁１１６を抜けて車室１０５内に伝わった比較的周波数の低いロードノイズは、ルーフ１４０に設けられた板吸音体１０に効率良く吸音される。
ここで、比較的低い周波数とは、車室内の固有振動のうちその振動数が最も低い周波数である基本振動の周波数（通常の車室では約８０Ｈｚ）と、当該車室が拡散音場とみなせる周波数帯域（通常の車室では約５００Ｈｚ以上の帯域）との間の周波数帯域であって、当該車室において離散的にモードがあるとみなせる周波数をいう。
【００４４】
そこで、図４に前席（運転席・助手席）上のルーフ１４０に板吸音体１０を設けた実験を行った結果を示す。このグラフは、前部座席における音圧を示した周波数特性であり、実線が吸音構造体なし、点線が吸音構造体有りを示している。
具体的には、板吸音体１０は、図１に示すように、その筐体１１の大きさの異なった板吸音体１０を配置する。各板吸音体１０の筐体１１の大きさは以下のようになる。
板吸音体１０ａの筐体：３００ｍｍ×２００ｍｍ×３０ｍｍ
板吸音体１０ｂの筐体：２００ｍｍ×２００ｍｍ×３０ｍｍ
この図４に示すように、周波数１６０〜３１５Ｈｚの範囲において、騒音レベルが０．３〜１．０ｄＢ低減され、騒音（ロードノイズ等）が集中する低い周波数における音を吸音できる結果が得られた。
【００４５】
この結果、本実施形態における車体構造体においては、ルーフ１４０に設けられた板吸音体１０によって、例えばロードノイズ等を効率良く吸音させることができ、車室１０５内の静粛感を高めることができる。
【００４６】
また、筐体１１の寸法によって板吸音体１０の共振周波数が異なるため、例えば、ルーフ１４０に、寸法の小さい板吸音体１０ｂと寸法の大きい板吸音体１０ａを配置する。
これにより、タイヤ音等のロードノイズに適した共振周波数を有する板吸音体１０を配置することができ、吸音される周波数の範囲を広げることができ、より確実に吸音を行うことができる。
【００４７】
一方、箱形の板吸音体１０を後部座席上のルーフ１４０に設けた場合について、図５および図６を参照しつつ説明する。
ルーフインナパネル１３０の芯材１３１には、後部座席の位置に矩形状の挿通孔１３２Ｂが穿設され、表面材１３８のうちこの挿通孔１３２Ｂに対向する部分が音圧透過部１３９Ｂとなり、この音圧透過部１３９Ｂを介して板吸音体１０を車室１０５内に開放させる。
【００４８】
ここで、板吸音体１０を後部座席上のルーフ１４０に設けた実験を行った。
その実験結果は図６のようになり、このグラフは、後部右席における音圧を示した周波数特性であり、実線が吸音構造体なし、点線が吸音構造体有りを示している。
この図６に示すように、図４と同様に、周波数１６０〜３１５Ｈｚの範囲において、騒音レベルが０．８〜１．０ｄＢ低減され、騒音（ロードノイズ等）が集中する低い周波数における音を吸音できる結果が得られた。
【００４９】
（１−３）第１実施形態の変形例
本発明は、前述した第１実施形態の構成に限らず、種々の対応が可能である。以下の変形例では、板吸音体１０の取付構造について説明している。また、以下の変形例では、板吸音体１０のルーフ１４０への取付位置は、前席，後部座席のいずれでもよいため、前席の挿通孔１３２Ａおよび音圧透過部１３９Ａ、後部座席の挿通孔１３２Ｂおよび音圧透過部１３９Ｂと区別せずに、挿通孔１３２および音圧透過部１３９を用いる。
【００５０】
（１−３−１）
この変形例による構成は、図７に示すように、矩形状の挿通孔１３２に代えて、複数個の小径な連通孔１３３，１３３，…を、ルーフインナパネル１３０の芯材１３１に穿設したものである。そして、表面材１３８のうちこの各連通孔１３３に対向する部分が音圧透過部１３９となる。
【００５１】
（１−３−２）
以下の変形例は、ルーフインナパネル１３０に板吸音体１０を設けた例を示す。このため、ルーフインナパネル１３０のみ図示する。
この変形例による構成は、ルーフインナパネル１３０に板吸音体１０を設ける一例である。具体的には、図８に示すように、ルーフインナパネル１３０の芯材１３１に車室１０５側に開口する矩形状の凹部１３４を設け、この凹部１３４内に板吸音体１０を挿入する。凹部１３４の底部に吸音体取付孔１３５を穿設する。板吸音体１０の取付突起１５が吸音体取付孔１３５に挿入されることにより、板吸音体１０は、凹部１３４内に固定される。
【００５２】
（１−３−３）
この変形例による構成は、ルーフインナパネル１３０に板吸音体１０を設ける一例であり、ルーフインナパネル１３０の一部を板吸音体１０とする例である。具体的には、図９に示すように、ルーフインナパネル１３０の芯材１３１に形成した矩形状の凹部１３４の開口部１３４Ａに直接振動板１３を固着し、凹部１３４と、振動板１３と、凹部１３４および振動板１３によって画成される空気層１４とによって板吸音体１０Ａを構成する。
【００５３】
（１−３−４）
この変形例による構成は、ルーフインナパネル１３０に板吸音体１０を設ける一例であり、図１０に示すように、ルーフインナパネル１３０の芯材１３１に車室１０５側に開口する矩形状の貫通孔１３６を穿設し、この貫通孔１３６を塞ぐように板吸音体１０がルーフアウタパネル１２０側から接着剤等で固定される。
【００５４】
（１−３−５）
この変形例による構成は、ルーフインナパネル１３０に板吸音体１０を設ける一例であり、図１１に示すように、ルーフインナパネル１３０の芯材１３１に矩形状の貫通孔１３６を穿設し、前記段部１３６Ａに係合する鍔部１１Ａを板吸音体１０の筐体１１に形成する。鍔部１１Ａに取付孔１１Ｂ、芯材１３１に取付突起１３６Ａを形成し、取付孔１１Ｂに取付突起１３６Ａを挿入することにより、板吸音体１０をルーフインナパネル１３０に固定する。
なお、鍔部１１Ａに取付突起を形成し、段部１３６Ａに取付孔を穿設して、各部位を係合させることで固定しても、鍔部１１Ａと段部１３７Ａとを接着剤等によって固定してもよい。
【００５５】
（１−３−６）
この変形例による構成は、ルーフアウタパネル１２０に板吸音体１０を設ける一例であり、ルーフアウタパネル１２０の一部を板吸音体１０とする例である。具体的には、図１２に示すように、ルーフアウタパネル１２０に形成した矩形状の凹部１２４の開口部１２４Ａに直接振動板１３を固着し、筐体となる凹部１２４と、振動板１３と、凹部１２４および振動板１３によって画成される空気層１４とによって板吸音体１０Ｂを構成する。
一方、ルーフインナパネル１３０の芯材１３１には、車室１０５側に開口する矩形状の貫通孔１３６が穿設され、この貫通孔１３６の周囲には板吸音体１０に向けて延びる角柱状の筒部１３６Ａが形成される。この貫通孔１３６および筒部１３６Ａは、車室１０５内の音圧を板吸音体１０Ｂに導く。
【００５６】
（１−３−７）
この変形例による構成は、ルーフアウタパネル１２０の一部を板吸音体１０とする例である。具体的には、図１３に示すように、ルーフ１４０の隔壁部１２１に形成された梁部１２２に矩形状の凹部１２５を形成し、この凹部１２５の開口部１２５Ａに直接振動板１３を固着し、筐体となる凹部１２５と、振動板１３と、凹部１２５および振動板１３によって画成される空気層１４とによって板吸音体１０Ｃを構成する。
一方、ルーフインナパネル１３０の芯材１３１には、車室１０５側に開口する矩形状の貫通孔１３６が穿設される。この貫通孔１３６は、車室１０５内の音圧を板吸音体１０Ｃに導く。
【００５７】
（１−３−８）
本発明による構成は、上記実施形態および変形例（１−３−１）〜（１−３−７）に限らず、ルーフ１４０に板吸音体１０が設けられる構造であれば、他の構造であってもよい。
また、変形例（１−３−２）〜（１−３−５）にあっては、ルーフインナパネル１３０に板吸音体１０を備える構成となっているため、ルーフアウタパネル１２０に板吸音体１０を取り付けるための構造を形成する必要がないため、既に一度組み上がった車両１００であっても、ルーフインナパネル１３０を交換することで、上記効果を得ることができる。
【００５８】
（１−３−９）
また、板吸音体１０の構成は、矩形状の筐体１１、筐体１１の開口部１２を閉塞する振動板１３と、筐体１１内に画成される空気層１４と、を具備する構成としたが、本発明による筐体の形状は矩形状に円形状、多角形状であっても、振動板１３に対して振動条件を変更するための集中質量を、振動板１３の中央部に設けるようにしてもよい。
【００５９】
板吸音体１０は、先にも説明した通り、バネマス系と屈曲系で吸音メカニズムが形成されている。ここで、発明者達は、振動板１３の面密度を変えた際の共振周波数における吸音率の実験を行った。
【００６０】
図１４は、空気層１４の縦と横の大きさが１００ｍｍ×１００ｍｍで厚さが１０ｍｍの筐体１１に振動板１３（大きさが１００ｍｍ×１００ｍｍ、厚さ０．８５ｍｍ）を固着し、中央部（大きさが２０ｍｍ×２０ｍｍ、厚さ０．８５ｍｍ）の面密度を変化させた際の板吸音体１０の垂直入射吸音率のシミュレート結果を示した図である。なお、シミュレート手法は、ＪＩＳ Ａ １４０５−２（音響管による吸音率及びインピーダンスの測定−第２部：伝達関数法）に従って、上記板吸音体１０を配置した音響室の音場を有限要素法により求め、その伝達関数より吸音特性を算出した。
【００６１】
具体的には、中央部の面密度を、（１）３９９．５[ｇ／ｍ2]、（２）７９９[ｇ／ｍ２]、（３）１１９９[ｇ／ｍ2]、（４）１５９８[ｇ／ｍ2]、（５）２２９７[ｇ／ｍ2]とし、周縁部材の面密度を７９９[ｇ／ｍ2]とし、振動板１３の平均密度を、（１）７８３[ｇ／ｍ2]、（２）７９９[ｇ／ｍ2]、（３）８１５[ｇ／ｍ2]、（４）８３１[ｇ／ｍ2]、（５）８６３[ｇ／ｍ２]とした場合のシミュレーション結果である。
シミュレートの結果を見ると、３００〜５００[Ｈｚ]の間と、７００[Ｈｚ]付近において吸音率が高くなっている。
【００６２】
７００[Ｈｚ]付近で吸音率が高くなっているのは、振動板１３のマスと空気層１４のバネ成分によって形成されるバネマス系の共振によるものである。板吸音体１０においては上記バネマス系の共振周波数での吸音率をピークとし音が吸音されており、中央部の面密度大きくしても、振動板１３全体のマスは大きく変わらないので、バネマス系の共振周波数も大きく変わらないことが分かる。
【００６３】
また、３００〜５００[Ｈｚ]の間で吸音率が高くなっているのは、振動板１３の屈曲振動によって形成される屈曲系の共振によるものである。板吸音体１０においては、屈曲系の共振周波数での吸音率が低音域側のピークとして表れており、中央部の面密度を大きくしてゆくと屈曲系の共振周波数だけが低くなっていることが分かる。
【００６４】
一般に、屈曲系の共振周波数は、振動板１３の弾性振動を支配する運動方程式で決定され、振動板１３の密度（面密度）に反比例する。また、前記共振周波数は、固有振動の腹（振幅が極大値となる場合）の密度により大きく影響される。このため、上記シミュレーションでは、１×１の固有モードの腹となる領域を中央部で異なる面密度に形成したので、屈曲系の共振周波数が変化したものである。
【００６５】
このように、シミュレーション結果は、中央部の面密度を周縁部の面密度より大きくすると、吸音のピークとなる周波数のうち、低音域側の吸音率のピークがさらに低音域側へ移動することを表している。従って、中央部の面密度を変更することにより吸音のピークとなる周波数の一部をさらに低音域側または高音域側に移動（シフト）させることができることを表している。
【００６６】
上述した板吸音体１０においては、中央部の面密度を変えるだけで、吸音される音のピークの周波数を変える（シフトさせる）ことができるため、振動板１３を板吸音体１０全体と同じ素材で板状に形成し、板吸音体１０全体の質量を重くして吸音する音を変更する場合と比較して、板吸音体１０全体の質量を大きく変えることなく吸音させる音を低くできる。
【００６７】
このように、車室内や荷室内の吸音力の変更（人や荷物の数量、形状の変化等）や発生騒音の変更（タイヤの変更、路面状況の変化等）により車室内の騒音特性の変化に対応できる。
【００６８】
さらに、板吸音体１０の空気層１４内には、多孔質吸音材（例えば、発泡樹脂、フェルト，ポリエステルウール等の綿状繊維）を充填することにより、吸音率ピーク値を増加させてもよい。
【００６９】
＜第２実施形態＞
次に、本発明による第２実施形態について説明する。本実施形態の特徴は、ルーフに設けられる吸音構造体に管吸音体を用いた点にある。なお、前述した第１実施形態と同一の構成要素に同一の符号を付し、その説明を省略するものとする。
【００７０】
（２−１）構成
図１５は、第２実施形態に係る４ドアセダン形の車両１００を示す斜視図である。この車両１００のルーフ１４０には、管吸音体３０が設けられる。
【００７１】
ここで、本実施形態に用いられる管吸音体の構造について説明する。
この管吸音体３０は、図１６に示すように、長さの異なる複数本のパイプ３１（３１−１〜３１−９）を横一列に並べて、相互に連結、或いは別途専用の部材で相互に連結させて一体に構成されている。各パイプ３１は、所定の肉厚（例えば、約２ｍｍ）および所定の内径（例えば、直径６０ｍｍ）を有する合成樹脂製等の断面円形の直線状剛性パイプで構成される。各パイプ３１の一端部は閉じられて閉塞部３２となり、他端部は開かれて開口部３３となる。開口部３３の位置は各パイプ３１で一列に揃えられることにより、開口部３３同士が隣接して配置される。本実施形態の場合には、管吸音体３０は、ルーフ１４０のうち前席（運転席・助手席）の頭上位置に各パイプ３１の開口部３３が配置されるように取り付けられる。
【００７２】
各パイプ３１内の長さは、パイプ３１の空洞単体で吸収される音波の中心の周波数の１／４の波長に相当する。
ここでは、空洞の長さＬ（＝パイプの長さ）が０．８５ｍ，０．６８ｍ，０．５３ｍの３種類のパイプが用いられており、これらはそれぞれ１００Ｈｚ，１２５Ｈｚ，１６０Ｈｚ（つまり１／３オクターブバンドピッチ）を中心に吸音する（音速＝３４０ｍ）。
各パイプ３１の開口部３３のネック部分（開口部３３またはその近傍）は、グラスウール、クロス、ガーゼ等の通気性を有する流れ抵抗材（流れ抵抗を有する材料）３４で塞がれている。
【００７３】
（２−２）管吸音体の動作原理
次に、管吸音体３０による吸音原理について説明する。
図１７は、図１６に示す管吸音体３０のうち隣接する２本のパイプ３１−ｊ，３１−ｋを示したものである。各パイプ３１−ｊ，３１−ｋの空洞の長さをＬ１，Ｌ２とする。車室１０５内の音波は、開口部３３−ｊ，３３−ｋから空洞内に入射され、他端の閉塞部３２−ｊ，３２−ｋで反射されて、開口部３３−ｊ，３３−ｋから再び室内に放出される。このとき、空洞の長さＬ１，Ｌ２の４倍に相当する波長λ１，λ２（Ｌ１＝λ１／４，Ｌ２＝λ２／４）の音波が定在波Ｓ１，Ｓ２を作り、振動を繰り返すうちに空洞の内壁面での摩擦や開口部３３−ｊ，３３−ｋでの空気粒子間の粘性作用により、エネルギーを消費し、この波長λ１，λ２を中心に吸音が行なわれる。例えば、Ｌ１＝１．３５ｍ、Ｌ２＝０．５３ｍとすると、λ１＝５．４ｍ、λ２＝２．１２ｍとなり、それぞれで吸音される音波の中心の周波数ｆ１，ｆ２は、ｆ１＝６３Ｈｚ、ｆ２＝１６０Ｈｚとなる。
【００７４】
一方、閉塞部３２−ｊ，３２−ｋで反射されて、開口部３３−ｊ，３３−ｋから放出される音波は、開口部３３−ｊ，３３−ｋで回折してエネルギーを放射する。そのエネルギーの一部は相互に隣接する他方のパイプ３１−ｋ，３１−ｊの開口部３３−ｋ，３３−ｊから空洞内に入射される。このようにして、隣接するパイプ３１−ｊ，３１−ｋ相互間で連成振動を生じ、エネルギーの授受が行なわれる。この連成振動の際に、空洞の内壁面での摩擦や開口部３３−ｊ，３３−ｋでの空気粒子間の粘性作用により、エネルギーを消費し、吸音が行なわれる。この連成振動は、パイプ３１−ｊ，３１−ｋを一連のパイプとみなした両端閉管モードとして捉えることができ、Ｌ１＋Ｌ２＝λ３／２として定まる波長λ３を中心に吸音が行なわれる。例えばＬ１＝１．３５ｍ、Ｌ２＝０．５３ｍの場合には、λ３＝３．７６ｍとなり、連成振動で吸音される音波の中心の周波数ｆ３はｆ３＝９０Ｈｚとなる。図１４の配列の場合、隣接するパイプ間での連成振動の周波数は次のようになる。
【００７５】
Ｌ１（ｍ） Ｌ２（ｍ） 連成振動周波数（Ｈｚ）
０．８５    ０．６８         １１１
０．８５    ０．５３         １２３
０．６８    ０．５３         １４０
これによれば、パイプ３１−１〜３１−９単体での吸音（１００，１２５，１６０Ｈｚが中心）とあわせて約１００〜１６０Ｈｚの範囲で平均的に吸音力が得られることになる。
【００７６】
（２−３）第２実施形態の作用・効果
このように、ルーフ１４０に管吸音体３０を設けることにより、荷室１０７からトランク仕切隔壁１１６を抜けてリアガラス１１７で反射されたタイヤ音等の比較的周波数の低いロードノイズは、ルーフ１４０に設けられた管吸音体３０により効率良く吸音される。この結果、車室１０５内の静粛感を高めることができる。
【００７７】
なお、第２実施形態では、管吸音体３０は、ルーフ１４０のうち前席（運転席・助手席）の頭上位置に各パイプ３１の開口部３３が配置されるように取り付けられた場合を例示したが、図１８に示すように、各パイプ３１の開口部３３が後部座席の頭上位置に配置されるように取り付けてもよい。この場合、ルーフインナパネル１３０の芯材１３１には、後部座席の位置に矩形状の挿通孔１３２Ｂが穿設され、表面材１３８のうちこの挿通孔１３２Ｂに対向する部分が音圧透過部１３９Ｂとなる。
【００７８】
また、管吸音体３０のルーフ１４０への取付構成は、種々の取付構造がある。例えば、予めルーフアウタパネル１２０にパイプ３１を形成しておいて、パイプ３１の開口部３３のみが車室１０５側に開口するようにしたり、予めルーフインナパネル１３０の芯材１３１にパイプ３１を形成しておいて、パイプ３１の開口部３３のみが車室１０５側に開口するようにしたり、ルーフインナパネル１３０の芯材１３１とルーフアウタパネル１２０との間にパイプ３１を配置したり等、種々の組み付け構造がある。
【００７９】
さらに、管吸音体３０の構成は、第２実施形態の構成に限らず、長さの異なったパイプを平行にルーフアウタパネル１２０に設けるだけでもよく。この場合であっても、パイプの振動によってある程度の吸音効果が得られる。さらに、管吸音体３０はいわゆる閉管ではなく、各パイプ３１の両端部が開かれた開口部３３，３３となった管（いわゆる開管）で構成してもよいし、これら閉管と開管とを混合して配置してもよい。
【００８０】
＜第３実施形態＞
次に、本発明による第３実施形態について説明する。本実施形態の特徴は、ルーフ１４０に設けられる吸音構造体にヘルムホルツ吸音体を用いた点にある。なお、前述した第１実施形態と同一の構成要素に同一の符号を付し、その説明を省略するものとする。
【００８１】
図１９は、ルーフインナパネル１３０の芯材１３１にヘルムホルツ吸音体４０を設けた第３実施形態を示した図である。
【００８２】
本実施形態に用いられるヘルムホルツ吸音体４０は、内部に空間が形成された直方体状の筐体４１と、この筐体４１の上部側に穿設された挿入孔４２Ａ，４２Ｂに挿入された管状部材４３Ａ，４３Ｂと、を有している。筐体４１の内側には密閉空間４４が画成され、管状部材４３Ａ，４３Ｂの内側には密閉空間４４と車室１０５とを連通する開口４５Ａ，４５Ｂが形成されている。
【００８３】
筐体４１は、例えばＦＲＰ（繊維強化プラスチック）によって直方体状に形成されている。管状部材４３Ａ，４３Ｂは、例えば塩化ビニール製のパイプを使用でき、空気との摩擦が生じやすいように、内面を粗くしておく。このヘルムホルツ吸音体４０は、寸法の小さい空洞である密閉空間４４の中の空気がバネとして働くことにより、車室１０５内に発生した音を減衰するように作用する。
【００８４】
このとき、密閉空間４４に設けられた小さな開口４５Ａ，４５Ｂが車室１０５に通じているため、開口４５Ａ，４５Ｂ内の空気の塊をマスとして１質点系バネ・マスモデルが形成される。そして、この系の共振周波数においては、開口４５Ａ，４５Ｂ内の空気の塊が車室１０５の音圧によって振動し、開口４５Ａ，４５Ｂの周壁と空気の塊との摩擦によって、音のエネルギーが熱エネルギーに変換される。つまり、音が減衰される。
【００８５】
いま、開口４５Ａ，４５Ｂの長さをＬ、開口４５Ａ，４５Ｂの横断面積をＳ（合計）、密閉空間４４の容積をＶ、音速をＣ、開口４５Ａ，４５Ｂの有効長さをＬｅ（Ｌｅ≒Ｌ＋０．８・Ｓ1/2）とすると、ヘルムホルツ吸音体４０の共鳴周波数ｆ０は、ｆ０＝１／２π（Ｃ2 Ｓ／Ｌｅ・Ｖ）1/2となる。
この式から、開口４５Ａ，４５Ｂの横断面積Ｓ又は有効長さＬｅ、即ち、管状部材４３Ａ，４５Ｂの内径ｄ又は長さＬを変えることによって、共鳴周波数ｆ０を調整でき、これにより、周波数の異なる音を減音できることが分かる。
【００８６】
このように、ルーフ１４０にヘルムホルツ吸音体４０を設けることにより、荷室からトランク仕切隔壁１１６を抜けてリアガラス１１７で反射されたタイヤ音等の比較的周波数の低いロードノイズは、ヘルムホルツ吸音体４０によって効率良く吸音される。
【００８７】
なお、ヘルムホルツ吸音体４０のルーフ１４０への取付構成は、前述した第３実施形態の構成に限らず、種々の対応が可能である。例えば、筐体４１をルーフアウタパネル１２０に設けたり、筐体４１をルーフインナパネル１３０の芯材１３１或いはルーフアウタパネル１２０に一体形成しておいたり、種々の組み付け構造がある。
【００８８】
また、ヘルムホルツ吸音体４０の筐体４１の形状は、直方体に限らず、円柱状等、他の形状であってもよい。
さらに、ヘルムホルツ吸音体４０では、管状部材４３を２本とした場合を例示したが、本発明はこれに限らず、１本或いは３本以上であってもよい。要は、ヘルムホルツ吸音体４０は、管状部材４３の内径ｄ又は長さＬによって吸音する周波数が設定されるため、周波数に応じて適宜設定されればよい。
【００８９】
＜第４実施形態＞
次に、本発明による第４実施形態について説明する。本実施形態の特徴は、ルーフに設けられる吸音構造体に板吸音体および管吸音体を用いた点にある。なお、前述した第１実施形態と同一の構成要素に同一の符号を付し、その説明を省略するものとする。
【００９０】
図２０は、第４実施形態に係る４ドアセダン形の車両１００を示す斜視図である。この車両１００のルーフインナパネル１３０には、板吸音体１０および管吸音体３０が設けられる。
このように、ルーフインナパネル１３０に板吸音体１０および管吸音体３０を設けることにより、第１実施形態および第２実施形態で述べたように、板吸音体１０および管吸音体３０によって、例えばロードノイズ等を効率良く吸音させることができ、車室１０５内の静粛感を高めることができる。
しかも、２種類の吸音体１０，３０を用いることにより、吸音効率を前記各実施形態よりも高めることができる。
【００９１】
なお、吸音体の組み合わせは、この第４実施形態に限らず、板吸音体１０、管吸音体３０およびヘルムホルツ吸音体４０、管吸音体３０およびヘルムホルツ吸音体４０、板吸音体１０およびヘルムホルツ吸音体４０との組み合わせであってもよい。
【００９２】
板吸音体１０およびヘルムホルツ吸音体４０を吸音構造体としてルーフ１４０に設ける場合の変形例を、図２１に示す。この例では、ルーフ１４０のルーフインナパネル１３０のうち平坦な部分に複数の板吸音体１０が配置され、ルーフインナパネル１３０のうち平坦な部分に傾斜している部分で取り付け面積が比較的小さい部分にヘルムホルツ吸音体４０が配置される。これにより、ルーフ１４０に対して吸音体１０，４０を効果的に搭載することが可能となる。
【００９３】
この場合、板吸音体１０は、変形例（１−３−９）で延べたように、振動板１３の中央部の面密度を変えるだけで、吸音される音のピークの周波数を変える（シフトさせる）ことができる。そこで、ルーフ１４０の場所に応じて振動板１３の面密度を適宜変更した板吸音体１０を配置すれば、より効率良く低周波のロードノイズを吸音することが可能となる。
【００９４】
＜変形例＞
以上、本発明による実施形態について説明したが、本発明は上述した実施形態に限定されるものではなく、他の様々な形態で実施可能である。
【００９５】
本各実施形態においては、４ドアのセダンタイプを例示したが、本発明はこれに限らず、屋根（ルーフ１４０）を有する車両であれば、適用が可能である。
【００９６】
さらに、板吸音体１０は、ルーフインナパネル１３０全体に配置される場合であっても、音圧の高い位置に配置されるようにしてもよい。また、管吸音体３０の開口部３３においても、音圧の高い位置に配置されるようにすればよい。
【００９７】
前記各実施形態では、ルーフインナパネル１３０をルーフアウタパネル１２０に取り付ける構成を、クリップ止め等で行っているが、本発明はこれに限らず、各部位を接着剤等、他の固定方法で固定するようにしてもよい。
【図面の簡単な説明】
【００９８】
【図１】本発明の第１実施形態に係る４ドアセダン形の車両を示す斜視図である。
【図２】車両のシャーシを模式的に示す図である。
【図３】図２中のａ部を拡大して示す断面図である。
【図４】前席の頭上に位置したルーフに板吸音体を設けた実験結果を示す図である。
【図５】第１実施形態と異なった位置に板吸音体を設ける状態を示す斜視図である。
【図６】後部座席の頭上に位置したルーフに板吸音体を設けた実験結果を示す図である。
【図７】変形例（１−３−１）を示す図である。
【図８】変形例（１−３−２）を示す図である。
【図９】変形例（１−３−３）を示す図である。
【図１０】変形例（１−３−４）を示す図である。
【図１１】変形例（１−３−５）を示す図である。
【図１２】変形例（１−３−６）を示す図である。
【図１３】変形例（１−３−７）を示す図である。
【図１４】変形例（１−３−８）による実験結果を示す図である。
【図１５】第２実施形態に係る４ドアセダン形の車両を示す斜視図である。
【図１６】第２実施形態における管吸音体を拡大して示す図である。
【図１７】管吸音体の原理を示す模式図である。
【図１８】第２実施形態と異なった位置に板吸音体を設ける状態を示す斜視図である。
【図１９】第３実施形態における図８と同様の断面図である。
【図２０】第４実施形態に係る４ドアセダン形の車両を示す斜視図である。
【図２１】第４実施形態の変形例を示す図である。
【符号の説明】
【００９９】
１０，１０ａ，１０ｂ，１０Ａ，１０Ｂ，１０Ｃ・・・板吸音体、１１，４１・・・筐体、１２・・・開口部、１３・・・振動板、１４・・・空気層、３０・・・管吸音体、３１−１〜３１−９・・・パイプ、３２・・・閉塞部、３３・・・開口部、３４・・・抵抗材、４０・・・ヘルムホルツ吸音体、４３Ａ，４３Ｂ・・・管状部材、４４・・・密閉空間、１１０・・・シャーシ、１２０・・・ルーフアウタパネル、１３０・・・ルーフインナパネル、１３１・・・芯材、１３８・・・表面材、１３９，１３９Ａ，１３９Ｂ・・・音圧透過部、１４０・・・ルーフ。
【図１】
0005286856.tif 000006
【図２】
0005286856.tif 000007
【図３】
0005286856.tif 000008
【図４】
0005286856.tif 000009
【図５】
0005286856.tif 000010
【図６】
0005286856.tif 000011
【図７】
0005286856.tif 000012
【図８】
0005286856.tif 000013
【図９】
0005286856.tif 000014
【図１０】
0005286856.tif 000015
【図１１】
0005286856.tif 000016
【図１２】
0005286856.tif 000017
【図１３】
0005286856.tif 000018
【図１４】
0005286856.tif 000019
【図１５】
0005286856.tif 000020
【図１６】
0005286856.tif 000021
【図１７】
0005286856.tif 000022
【図１８】
0005286856.tif 000023
【図１９】
0005286856.tif 000024
【図２０】
0005286856.tif 000025
【図２１】
0005286856.tif 000026